(57)【要約】【課題】本発明は、警報装置の誤作動を防ぎ、かつ日常業務に支障なく非常時に容易に取外し可能な場所に防護盾を備え付ける防護盾の保持具を提供することを目的とする。【解決手段】取っ手３１を有する防護盾３を着脱自在に保持する保持部１０ａと、この保持部１０ａを支持固定する支持固定部１１ａとからなり、当該支持固定部１１ａは保持部１０ａを金銭登録機２０の上方に配置するものであり、保持部１０ａは前記取っ手３１を金銭登録機２０の操作者側に向けた状態で防護盾３を保持可能なものであり、防護盾３と保持部１０ａの少なくともいずれかに、防護盾３の保持部１０ａからの取外しを検出する変位センサ４を設けると共に、この変位センサ４に警報装置４１を接続し、防護盾３が保持部１０ａから取り外されたとき変位センサ４からの信号により、警報装置４１を作動する防護盾の保持具を提供する。【選択図】図１
2007147109.tif 000002
【特許請求の範囲】
【請求項１】
取っ手を有する防護盾を着脱自在に保持する保持部と、この保持部を支持固定する支持固定部とからなり、
当該支持固定部は保持部を金銭登録機の上方に配置するものであり、
保持部は前記取っ手を金銭登録機の操作者側に向けた状態で防護盾を保持可能なものであり、
防護盾と保持部の少なくともいずれかに、防護盾の保持部からの取外しを検出する変位センサを設けると共に、この変位センサに警報装置を接続し、防護盾が保持部から取り外されたとき変位センサからの信号により、警報装置を作動することを特徴とする防護盾の保持具。
【請求項２】
前記保持部は、上下のスライド動作により前記防護盾を脱着可能に保持することを特徴とする請求項１記載の防護盾の保持具。
【請求項３】
前記支持固定部は平板状の下敷部を備え、この下敷部を前記金銭登録機の下に敷いてレジカウンタ上面との間に挟み込み、金銭登録機の重量によって前記保持部を支持固定することを特徴とする請求項１記載の防護盾の保持具。
【請求項４】
前記支持固定部をレジカウンタに取り付けて固定したことを特徴とする請求項１記載の防護盾の保持具。
【請求項５】
前記支持固定部は前記金銭登録機に取り付けて一体的に形成したことを特徴とする請求項１記載の防護盾の保持具。
【請求項６】
前記保持部をレジカウンタの内側に向かって傾けた状態で固定して、前記防護盾を後傾姿勢で保持することを特徴とする請求項２記載の防護盾の保持具。
【請求項７】
前記防護盾は、表側に紙媒体を掲示可能にしたものであることを特徴とする請求項１又は６記載の防護盾の保持具。
【請求項８】
前記支持固定部は、保持部を取付ける腕部と、この腕部を金銭登録機の上方に配置して支持可能な支持桿とを備え、この支持桿を、その長さ方向を軸として回動可能に形成したことを特徴とする請求項１記載の防護盾の保持具。
【発明の詳細な説明】
【技術分野】
【０００１】
本発明は、暴漢等に襲われた際に店員の身を守るための防護盾を小売店の所定の場所に備え付けておくための防護盾の保持具に関するものである。
【背景技術】
【０００２】
近年の犯罪の増加や凶悪化に伴って、対人撃退用のスプレーや警報アラーム等の機能を備えた防護盾が徐々に普及し始めている。コンビニエンスストア等の商店においては深夜営業の時間帯に現金奪取を目的とした強盗事件が頻繁に発生しており、この深夜営業時間帯は特に店員の数も少ないため危険が大きいこともあって、この防護盾をレジカウンタ内に設置する店舗が増加している。
【０００３】
防護盾は、スペースの限られたレジカウンタ内において日常業務に支障のない場所に設置する必要があり、また、特にコンビニエンスストアでは店員のほとんどがアルバイトであって防護盾は取扱容易であることが望ましいことから、従来は、図９に示すように、バックカウンタの戸棚に支持具５０を取付けておき、この支持具５０に防護盾５１を着脱容易に装着して非常時に店員が即座に盾を手に取れるように構成されている。
【０００４】
また、コンビニエンスストアには、従来から各所に非常用の押しボタン（図示せず）が設けられていて、これを押すことにより店内に設置された警報システムを作動させて周囲に危険を報せることができる。しかし、非常時の恐怖感等のため店員がこのボタンを押せない場合が多かった。そのため、この防護盾は、支持具から取り外すと同時に自動的に警報装置が作動するように構成されている。
【０００５】
しかし、このような非常時に後ろを向いて盾を手に取るのは危険であるし、強盗等に対して背を向けることに対する恐怖感もある。また、防護盾は低い位置に備え付けられており、混雑時等にぶつかるなどして誤って防護盾が支持具から外れてしまい、警報装置が間違って作動するおそれもある。
【発明の開示】
【発明が解決しようとする課題】
【０００６】
解決しようとする問題点は、レジカウンタ内の限られたスペースにおいて、防護盾を着脱容易に備え付けておくと共に誤って警報装置を作動させてしまうことなく日常業務に支障のない場所を確保することが難しかった点であり、本発明は、警報装置の誤作動を防ぎ、かつ日常業務に支障なく非常時に容易に取外し可能な場所に防護盾を備え付けておくことができる防護盾の保持具を提供することを目的とする。
【課題を解決するための手段】
【０００７】
上記課題を解決するために、請求項１記載のごとく、取っ手を有する防護盾を着脱自在に保持する保持部と、この保持部を支持固定する支持固定部とからなり、当該支持固定部は保持部を金銭登録機の上方に配置するものであり、保持部は前記取っ手を金銭登録機の操作者側に向けた状態で防護盾を保持可能なものであり、防護盾と保持部の少なくともいずれかに、防護盾の保持部からの取外しを検出する変位センサを設けると共に、この変位センサに警報装置を接続し、防護盾が保持部から取り外されたとき変位センサからの信号により、警報装置を作動する防護盾の保持具を提供する。
【０００８】
請求項２記載のごとく、前記保持部は、上下のスライド動作により前記防護盾を脱着可能に保持する防護盾の保持具を提供する。
【０００９】
請求項３記載のごとく、前記支持固定部は平板状の下敷部を備え、この下敷部を前記金銭登録機の下に敷いてレジカウンタ上面との間に挟み込み、金銭登録機の重量によって前記保持部を支持固定する防護盾の保持具を提供する。
【００１０】
請求項４記載のごとく、前記支持固定部をレジカウンタに取り付けて固定した防護盾の保持具を提供する。
【００１１】
請求項５記載のごとく、前記支持固定部を前記金銭登録機に取り付けて一体的に形成した防護盾の保持具を提供する。
【００１２】
請求項６記載のごとく、前記保持部をレジカウンタの内側に向かって傾けた状態で固定して、前記防護盾を後傾姿勢で保持する防護盾の保持具を提供する。
【００１３】
請求項７記載のごとく、前記防護盾は、表側に紙媒体を掲示可能にしたものである防護盾の保持具を提供する。
【００１４】
請求項８記載のごとく、前記支持固定部は、保持部を取付ける腕部と、この腕部を金銭登録機の上方に配置して支持可能な支持桿とを備え、この支持桿を、その長さ方向を軸として回動可能に形成した防護盾の保持具を提供する。
【発明の効果】
【００１５】
請求項１記載のごとく、保持部を金銭登録機の上方に配置して支持固定し、この保持部によって取っ手を金銭登録機の操作者側に向けた状態で防護盾を保持し、変位センサによって防護盾と保持部との相対的な変位を検出して、防護盾が取り外されたとき変位センサに接続した警報装置を作動することにより、通常時は業務の支障とならないように金銭登録機の上方に保持できると共に、非常時には金銭登録機の操作者が目の前に保持してある防護盾の取っ手をつかんで容易に取り外して即座に構えることができ、しかも防護盾を保持部から取り外すと同時に警報装置が作動して周囲に非常を報せることができる。
【００１６】
請求項２記載のごとく、上下のスライド動作により前記防護盾を取外し可能に保持したことにより、衝突などによる防護盾の不測の脱落等を抑えて安定に保持すると共に、防護盾を容易かつ迅速に取り外して構えることができる。
【００１７】
請求項３記載のごとく、平板状に形成した下敷部をカウンタ上面と金銭登録機の間に挟んで、金銭登録機の重量によって固定して保持部を支持固定することにより、金銭登録機及びカウンタに加工を施すことなく、簡便な固定操作により保持具を支持固定して防護盾を確実に保持することができる。
【００１８】
請求項４記載のごとく、支持固定部をレジカウンタに取り付けて固定したことにより、金銭登録機に加工を施すことなく、かつ、金銭登録機の形状や型式等によらずに保持部をその上方で支持固定することができ、容易な取付け操作で、汎用性が高く、しかも保持具を堅固に支持固定して防護盾を確実に保持することができる。
【００１９】
請求項５記載のごとく、支持固定部を金銭登録機に一体形成して保持部を支持固定することにより、保持部を確実に金銭登録機の上方に配置して堅固に支持固定し、防護盾を確実に保持することができる。
【００２０】
請求項６記載のごとく、保持部をレジカウンタの内側に傾けた状態で固定して、上下のスライド動作で取り外される防護盾を後傾姿勢で保持することにより、カウンタ内側にいる店員は、金銭登録機の上方に後傾姿勢で備え付けられている防護盾を手前上方に引き上げて取り外すことができて容易な取外し操作により迅速に防護盾を構えることができると共に、レジカウンタの外側にいる客等にとっては手前から奥に向かって防護盾をスライド動作させることになるため取り外しにくく、いたずらによる警報装置の誤作動や盾の奪取等を防止することができる。
【００２１】
請求項７記載のごとく、防護盾の表側に紙媒体を掲示可能に構成したことにより、通常時にはチラシやパンフレット等の紙媒体の掲示板として利用できると共に、防護盾であることを分かり難くカムフラージュすることができる。また、防護盾の表側をレジカウンタの外側斜め上方に向けておくことにより、紙媒体を客等に見えやすい状態で掲示しておくことができる。
【００２２】
請求項８記載のごとく、腕部を支持する支持桿を、その長さ方向を軸として回動可能に形成したことにより、金銭登録機のメンテナンス作業等の際にも保持具を取り外すことなく作業できて煩雑さを軽減することができる。
【発明を実施するための最良の形態】
【００２３】
以下、図１乃至図８を参照して本発明に係る防護盾の詳細について説明する。
【００２４】
図１は、本発明に係る防護盾の保持具を金銭登録機に固定した状態を示す正面図である。
【００２５】
金銭登録機２０は店舗内のレジカウンタ２の上に載置されており、この金銭登録機２０に保持具１ａが取付け固定されている。
保持具１ａは、防護盾３を係止保持する保持部１０ａと、保持部１０ａを金銭登録機２０の上方に配置して支持固定する支持固定部１１ａとを一体的に形成してなる。
本実施形態においては、支持固定部１１ａは平板状の下敷部１１０を備え、この下敷部１１０を金銭登録機２０の下に敷いて、レジカウンタ２の上面と金銭登録機２０との間に挟み込んで金銭登録機２０の重量によって固定している。
【００２６】
支持固定部１１ａは板状体により一体形成され、下敷部１１０から金銭登録機２０の上方まで長板状に延出して、その先端に保持部１０ａを設ける。また、支持固定部１１ａには、補強用のリブ板１１１が取り付けられている。
保持部１０ａは、先端の両角を切り欠いた板材を支持部固定部１１ａから起立させてなり、これを防護盾３の内側面中央下部に設けられた差込口３３に差し込んで防護盾３を起立姿勢で保持する。
【００２７】
防護盾３の差込口３３は、板材を凸状に折り曲げて形成したホルダ３２を盾本体３０の内側面に取り付けて、ホルダ３２と盾本体３０との間にスリット状に形成されている。
また、このホルダ３２にセンサマグネット４０を取り付けると共に、変位センサ４及びこの変位センサ４に接続した警報装置４１を支持固定部１１ａに取り付けて、保持部１０ａによって防護盾３を保持したときにセンサマグネット４０が変位センサ４に近接するように配置する。
そして、防護盾３が保持部１０ａから取り外されたとき、センサマグネット４０の変位を変位センサ４によって検知して、変位センサ４に有線接続又は無線接続した警報装置４１を作動させる。
【００２８】
図２は、金銭登録機２０に保持具１ａを取り付けて防護盾３を保持した状態を金銭登録機２０の背面側（客側）から示した斜視図である。
【００２９】
金銭登録機２０の背面側には、金額の計算結果やその他の情報等を表示する表示部２１が形成されている。また、防護盾３の表面側にバインダー機構３４を形成して、チラシやパンフレット、フライヤー等（以下「紙媒体２２」という）を掲示したり、又はこれらを盾本体３０に粘着テープ等で直接貼り付けて掲示している。
バインダー機構３４は、盾本体３０の上下端縁に取り付けたバインド部材３５、３５により透明シート３６を盾本体３０の表面に密着してなり、この透明シート３６と盾本体３０とによって紙媒体２２を挟んで保持する。
【００３０】
上記のごとく構成した保持具１ａは、防護盾３を金銭登録機２０の上方に配置して起立姿勢で保持すると共に上下方向のスライド動作により脱着可能に構成し、変位センサによって防護盾３の取外しを検出して、防護盾３が取り外されたとき変位センサ４からの信号によって警報装置４１を作動させたことにより、通常時には接客対応等の邪魔になることなく店員の近辺に保持しておくと共に、非常時には、レジカウンタ２の内側にいる店員が目の前に保持してある防護盾３を上下方向のスライド動作により容易かつ迅速に取り外して構えることができ、しかも防護盾３を保持部１０ａから取り外すと同時に変位センサ４に接続された警報装置４１が作動して、即座に身を守ると共に周囲に非常を報せることができる。
【００３１】
また、防護盾３の表面側にバインダー機構３４を設けたり、又は盾本体３０に直接貼り付ける等の方法で紙媒体２２を掲示することにより、通常時に、防護盾３を掲示板として利用すると共に、紙媒体２２によってカムフラージュして防護盾３であることを分かり難くすることができる。
【００３２】
次に、保持部の第２の実施形態について説明する。図３は、保持部の第２の実施形態を示す側面図である。
【００３３】
保持部１０ｂは、先端の両角を切り欠いた板材をレジカウンタ２の内側に向かって傾けた状態で支持固定部１１ａの側縁から起立させて形成される。そして、これを防護盾３の差込口３３に差し込むことにより、防護盾３を後傾姿勢で保持する。
【００３４】
上記のごとく構成した保持具１ｂは、板状の保持部１０ｂをレジカウンタ２の内側に向かって傾け、防護盾３を後傾姿勢で保持することにより、レジカウンタ２の内側にいる店員には金銭登録機２０の上方で保持されている防護盾３を手前上方に引き上げて取り外すことができ、容易かつ迅速に防護盾３を構えることができると共に、レジカウンタ２の外側にいる一般客や暴漢にとっては、防護盾３の取外し操作は手前から奥に向かって防護盾３をスライド動作させることになるため取り外しにくく、いたずらや盾の奪取を防止することができる。
【００３５】
さらに、防護盾３を後傾姿勢で保持したことによって盾本体３０の表面が斜め上方を向くため、バインダー機構３４等により取り付けられる紙媒体２２を客に見えやすい状態で掲示することができる。
【００３６】
次に、保持部の第３の実施形態について説明する。図４は、保持部の第３の実施形態を示す斜視図である。
【００３７】
保持部１０ｃは、防護盾３を載置可能な受け台状に形成されている。保持部１０ｃの正面側下部には係止段部１００を形成し、保持部１０ｃの背面１０１には防護盾３の取っ手３１を係止する取っ手係止部１０２を形成し、背面１０１の裏側で取っ手係止部１０２の直下には破線図示のごとく変位センサ４を取り付ける。
防護盾３は、盾本体３０の略中央に一つの取っ手３１を備え、この取っ手３１の直下にセンサマグネット４０を取付けて構成されており、係止段部１００に盾本体３０の下端を係止し、取っ手３１を取っ手係止部１０２に係止し、センサマグネット４０を変位センサ４の近くに配置して防護盾３を載置する。
【００３８】
本実施形態において示した防護盾３はホルダ３２を具備せず、センサマグネット４０は盾本体３０に直接取り付けられる。
【００３９】
上記のごとく構成した保持具１ｃは、受け台状の保持部１０ｃによって防護盾３を保持することにより、防護盾３をより安定な状態で保持することができ、また、盾本体３０にホルダ３２を取り付ける必要がなく少ない部品点数と簡易な構造により安価に防護盾３を構成できる。
【００４０】
上記各実施形態において支持固定部１１ａは下敷部１１０を有し、これを金銭登録機２０の下に敷いて固定して、保持部１０ａ〜１０ｃを金銭登録機２０の上方で支持していたが、支持固定部１１ａはレジカウンタ２や金銭登録機２０に取付け固定する構成でもよい。以下、図５乃至図８を参照して、支持固定部の実施形態について説明する。
【００４１】
まず、支持固定部の第２の実施形態について説明する。図５は、支持固定部の第２の実施形態を示す正面図である。
【００４２】
本実施形態の支持固定部１１ｂは所定の厚みを有する板状部１１３を有する。この支持固定部１１ｂをレジカウンタ２の上面に留めビス１１２により固定し、長板状の支持固定部１１ｂを金銭登録機２０の側面に沿って起立させ、金銭登録機２０の上方まで延出して保持部１０ａを金銭登録機２０の上方に配置すると共に変位センサ４を取り付ける。
【００４３】
上記のごとく構成した保持具１ｄは、支持固定部１１ｂをレジカウンタ２の上面に留めビス１１２を用いて固定することにより、簡便な取付け操作で保持具１ｄを堅固に固定して、防護盾３を確実に保持することができる。
【００４４】
次に、支持固定部の第３の実施形態について説明する。図６は、支持固定部の第３の実施形態を示す側面図である。
【００４５】
本実施形態の支持固定部１１ｃは金銭登録機２０に固定して一体的に構成される。支持固定部１１ｃは長板状に形成され、金銭登録機２０の側面に留めビス１１２により固定されている。そして、支持固定部１１ｃを金銭登録機２０の上方に延出して、保持部１０ａを起立支持すると共に変位センサ４を取り付けて保持具１ｅを構成する。
【００４６】
また、支持固定部の第４の実施形態として図７に示すように、台状に形成した支持固定部１１ｄを留めビス１１２を用いて金銭登録機２０の上面に固定してもよい。
また、保持具１ｆには、変位センサの別の実施形態である変位センサ４ａが取付けられている。変位センサ４ａは、バネスイッチにより構成され、保持部１０ａに防護盾３を保持したとき、防護盾３のホルダ３２等によってこのバネスイッチが押下されるように配置し、防護盾３を持ち上げたときこのバネスイッチが復元することにより防護盾３の取外しを検知する。
【００４７】
上記のごとく構成した保持具１ｅ、１ｆは、留めビス１１２を用いて支持固定部１１ｃ、１１ｄを金銭登録機２０に固定することにより、金銭登録機２０と一体的に構成して防護盾３を確実に金銭登録機２０の上方で保持することができる。
【００４８】
次に、支持固定部の第５の実施形態について説明する。図８は、支持固定部の第５の実施形態を示す斜視図である。
【００４９】
本実施形態の支持固定部１１ｅは、金銭登録機２０の下に敷かれる下敷部１１０と、この下敷部１１０に一体形成された柱状の支持桿１１４と、この支持桿１１４の上部に回動可能に取付けられた腕部１１５とにより構成され、腕部１１５の先端部に保持部１０ａを取付けて保持具１ｇを形成する。
支持桿１１４は管状に形成され、腕部１１５はこの支持桿１１４を軸として水平面内に回動可能に構成する。
【００５０】
上記のごとく構成した保持具１ｇは、通常時の防護盾３の保護位置（破線図示）に加えて金銭登録機のメンテナンス作業時等の待避位置（実践図示）をとることができるためメンテナンス作業時に保持具を取り外す等の繁雑な作業を必要としない。
【００５１】
また、支持固定部１１ｅを管状に形成したことにより、変位センサ４から警報装置４１までの配線を支持桿１１４の管内に通すことにより配線を保護することもできる。
【００５２】
上記した保持具１ａ〜１ｇの各実施形態においては、警報装置４１に接続される変位センサ４を支持固定部１１ａ〜１１ｅに取り付け、センサマグネット４０を防護盾３に取り付けていたが、変位センサ４を防護盾３に取り付け、センサマグネット４０を支持固定部１１ａ〜１１ｅに取り付けてもよい。このとき、警報装置４１は、変位センサ４と一体に形成するか、又は変位センサ４からの無線信号によって作動するように構成される。
【００５３】
この警報装置４１としては、警報音や光等を発することにより危険が迫っていることを周囲に報せるもの、無線あるいは有線通信によって警備会社や警察等に通報して非常を報せるもの、又はこれらの機能を兼ね備えたものを使用することができる。
【００５４】
また、コンビニエンスストア等には、あらかじめ店内に警報システムが設置されていることもあり、この警報システムに変位センサ４を接続し、防護盾３が保持具１０ａ〜１０ｃから取り外されたとき、この変位センサ４によってこの警報システムを作動させて、警報音等を発したり、警備会社等に通報して周囲に非常を報せる構成としてもよい。
【図面の簡単な説明】
【００５５】
【図１】本発明に係る保持具を金銭登録機に取り付けた状態を示す正面図である。
【図２】金銭登録機の上方で防護盾を保持した状態を示す斜視図である。
【図３】保持部の第２の実施形態を示す側面図である。
【図４】保持部の第３の実施形態を示す斜視図である。
【図５】支持固定部の第２の実施形態を示す正面図である。
【図６】支持固定部の第３の実施形態を示す側面図である。
【図７】支持固定部の第４の実施形態を示す側面図である。
【図８】支持固定部の第５の実施形態を示す側面図である。
【図９】従来の防護盾の保持具を示す斜視図である。
【符号の説明】
【００５６】
１ａ〜１ｇ        保持具
１０ａ〜１０ｃ    保持部
１００            係止段部
１０１            背面
１０２            取っ手係止部
１１ａ〜１１ｅ    支持固定部
１１０            下敷き部
１１１            リブ板
１１２            留めビス
１１３            板状部
１１４            支持桿
１１５            腕部
２                レジカウンタ
２０              金銭登録機
２１              表示部
２２              紙媒体
３                防護盾
３０              盾本体
３１              取っ手
３２              ホルダ
３３              差込口
３４              バインダー機構
３５              バインド部材
３６              透明シート
４、４ａ          変位センサ
４０              センサマグネット
４１              警報装置
【図１】
2007147109.tif 000003
【図２】
2007147109.tif 000004
【図３】
2007147109.tif 000005
【図４】
2007147109.tif 000006
【図５】
2007147109.tif 000007
【図６】
2007147109.tif 000008
【図７】
2007147109.tif 000009
【図８】
2007147109.tif 000010
【図９】
2007147109.tif 000011